(57)【特許請求の範囲】
【請求項１】
モバイル・ルーティング・ホットスポット・デバイスに適用される、記憶装置への無線アクセスをサポートする方法であって、前記モバイル・ルーティング・ホットスポット・デバイスが、ユニバーサルシリアルバス（USB）インターフェースを使用することによって前記記憶装置に接続され、前記方法が、
無線通信の方式でユーザ機器によって送信され、前記記憶装置内の指定ファイルにアクセスすることを求めるアクセス要求を、前記モバイル・ルーティング・ホットスポット・デバイスによって受信するステップであって、前記アクセス要求が、前記指定ファイルに関する情報を搬送する、受信するステップと、
前記USBインターフェースを使用することによって、前記指定ファイルに関する前記情報に従って前記記憶装置内の前記指定ファイルを前記モバイル・ルーティング・ホットスポット・デバイスによって獲得するステップと、
無線通信の方式で前記アクセス要求に従って前記指定ファイルを前記モバイル・ルーティング・ホットスポット・デバイスによって前記ユーザ機器に出力するステップと、
を含み、
無線通信の方式でユーザ機器によって送信され、前記記憶装置内の指定ファイルにアクセスすることを求めるアクセス要求を、前記モバイル・ルーティング・ホットスポット・デバイスによって受信する前記ステップの前に、
前記USBインターフェースによって受信された信号を使用することによって、前記記憶装置を前記モバイル・ルーティング・ホットスポット・デバイスによって認識するステップと、
前記記憶装置内に記憶されたファイルのファイル記述情報と記憶アドレスとを、前記モバイル・ルーティング・ホットスポット・デバイスによって取得するステップであって、前記記憶されたファイルの前記ファイル記述情報が、前記記憶されたファイルの前記記憶アドレスと1対1対応にある、取得するステップと、
前記記憶装置内の前記指定ファイルにアクセスすることを求める前記アクセス要求を前記記憶されたファイルの前記ファイル記述情報に従って前記ユーザ機器が送信するように、前記ユーザ機器が前記モバイル・ルーティング・ホットスポット・デバイスにアクセスしたとき、ウェブユーザインターフェースを使用することによって、前記記憶されたファイルの前記ファイル記述情報を前記モバイル・ルーティング・ホットスポット・デバイスによってユーザに対して表示するステップと、
をさらに含む方法。
【請求項２】
前記記憶装置内に記憶されたファイルのファイル記述情報を前記モバイル・ルーティング・ホットスポット・デバイスによって取得する前記ステップの後、
前記記憶されたファイルの前記ファイル記述情報に含まれるファイルタイプに従って、前記記憶されたファイルの前記ファイル記述情報を前記モバイル・ルーティング・ホットスポット・デバイスによって分類するステップと、カテゴリーに従ってファイル情報テーブルを作成するステップとをさらに含み、
ウェブユーザインターフェースを使用することによって、前記記憶されたファイルの前記ファイル記述情報を前記モバイル・ルーティング・ホットスポット・デバイスによってユーザに対して表示する前記ステップが、
前記ウェブユーザインターフェースを使用することによって、前記ファイル情報テーブルを前記モバイル・ルーティング・ホットスポット・デバイスによって前記ユーザに対して表示するステップを含む、請求項1に記載の方法。
【請求項３】
前記指定ファイルに関する前記情報が前記指定ファイルの記憶アドレスを含むとき、前記USBインターフェースを使用することによって前記指定ファイルに関する前記情報に従って前記記憶装置内の前記指定ファイルを前記モバイル・ルーティング・ホットスポット・デバイスによって獲得する前記ステップが、
前記USBインターフェースを使用することによって前記指定ファイルの前記記憶アドレスに従って前記記憶装置内の前記指定ファイルを前記モバイル・ルーティング・ホットスポット・デバイスによって獲得するステップを含む、請求項1に記載の方法。
【請求項４】
前記指定ファイルに関する前記情報が前記指定ファイルのファイル識別情報を含むとき、前記ファイル記述情報が前記ファイル識別情報を含み、前記USBインターフェースを使用することによって、前記指定ファイルに関する前記情報に従って前記記憶装置内の前記指定ファイルを前記モバイル・ルーティング・ホットスポット・デバイスによって獲得する前記ステップが、
前記指定ファイルの前記ファイル記述情報に対応する前記指定ファイルの記憶アドレスを、前記記憶されたファイルの前記ファイル記述情報と前記記憶されたファイルの前記記憶アドレスとの間の1対1対応に従って前記モバイル・ルーティング・ホットスポット・デバイスによって検索するステップと、
前記USBインターフェースを使用することによって、前記指定ファイルの前記記憶アドレスに従って前記記憶装置内の前記指定ファイルを前記モバイル・ルーティング・ホットスポット・デバイスによって獲得するステップと、
を含む、請求項1に記載の方法。
【請求項５】
受信制御ユニットと、第1の情報獲得ユニットと、第1の情報出力ユニットとを備え、
前記受信制御ユニットが、ユーザ機器によって送信され、記憶装置内の指定ファイルにアクセスすることを求めるアクセス要求を受信する無線受信機を制御するように構成され、前記アクセス要求が、前記指定ファイルに関する情報を搬送し、
前記第1の情報獲得ユニットが、前記モバイルルートデバイスチップを前記記憶装置に接続するUSBインターフェースを使用することによって前記指定ファイルに関する前記情報に従って前記記憶装置内の前記指定ファイルを獲得するように構成され、
前記第1の情報出力ユニットが、前記指定ファイルを前記ユーザ機器に出力する無線送信機を前記アクセス要求に従って制御するように構成され、
前記受信制御ユニットが前記アクセス要求を受信する前記無線受信機を制御する前に、前記USBインターフェースによって受信された信号に従って前記記憶装置を認識するように構成された認識ユニットと、
前記記憶装置内に記憶されたファイルのファイル記述情報と記憶アドレスとを取得するように構成された第2の情報獲得ユニットであって、前記記憶されたファイルの前記ファイル記述情報が、前記記憶されたファイルの前記記憶アドレスと1対1対応にある、第2の情報獲得ユニットと、
前記記憶装置内の前記指定ファイルにアクセスすることを求める前記アクセス要求を前記記憶されたファイルの前記ファイル記述情報に従って前記ユーザ機器が送信するように、前記ユーザ機器が前記モバイル・ルーティング・ホットスポット・デバイスにアクセスしたとき、ウェブユーザインターフェースを使用することによって、前記記憶されたファイルの前記ファイル記述情報を出力するように構成された第2の情報出力ユニットと、
をさらに備える、モバイル・ルーティング・ホットスポット・デバイス・チップ。
【請求項６】
前記第2の情報獲得ユニットが前記記憶装置内に記憶された前記ファイルの前記ファイル記述情報と前記記憶アドレスとを取得した後、前記記憶されたファイルの前記ファイル記述情報に含まれるファイルタイプに従って、前記記憶されたファイルの前記ファイル記述情報を分類し、カテゴリーに従ってファイル情報テーブルを作成するように構成された分類ユニットをさらに含み、
前記第2の情報出力ユニットが、前記ウェブユーザインターフェースを使用することによって、前記ファイル情報テーブルを出力するように特に構成される、請求項5に記載のモバイル・ルーティング・ホットスポット・デバイス・チップ。
【請求項７】
前記第1の情報獲得ユニットが、前記指定ファイルに関する前記情報が前記指定ファイルの記憶アドレスを含むとき、前記USBインターフェースを使用することによって前記指定ファイルの前記記憶アドレスに従って前記記憶装置内の前記指定ファイルを獲得するように特に構成される、請求項5に記載のモバイル・ルーティング・ホットスポット・デバイス・チップ。
【請求項８】
前記指定ファイルに関する前記情報が前記指定ファイルのファイル識別情報を含む場合には、前記ファイル記述情報が前記ファイル識別情報を含み、前記第1の情報獲得ユニットが、
前記指定ファイルの前記ファイル記述情報に対応する前記指定ファイルの記憶アドレスを、前記記憶されたファイルの前記ファイル記述情報と前記記憶されたファイルの前記記憶アドレスとの間の1対1対応に従って検索するように構成された検索サブユニットと、
前記USBインターフェースを使用することによって前記指定ファイルの前記記憶アドレスに従って前記記憶装置内の前記指定ファイルを獲得するように構成された獲得サブユニットと、
を備える、請求項5に記載のモバイル・ルーティング・ホットスポット・デバイス・チップ。
【請求項９】
アプリケーションプロセッサチップと、前記アプリケーションプロセッサチップに別々に接続された無線送受信機およびUSBインターフェースとを備えるモバイル・ルーティング・ホットスポット・デバイスであって、前記USBインターフェースが、外部記憶装置に接続するように構成され、
前記アプリケーションプロセッサチップが、ユーザ機器によって送信され、前記記憶装置内の指定ファイルにアクセスすることを求めるアクセス要求を、前記無線送受信機を使用することによって受信することであって、前記アクセス要求が、前記指定ファイルに関する情報を搬送する、受信することと、前記USBインターフェースを使用することによって前記指定ファイルに関する前記情報に従って前記記憶装置内の前記指定ファイルを獲得することと、前記無線送受信機を使用することによって前記アクセス要求に従って前記指定ファイルを前記ユーザ機器に出力することと、
を行うように構成され、
前記アプリケーションプロセッサチップが、無線通信の方式で前記ユーザ機器によって送信され、前記記憶装置内の前記指定ファイルにアクセスすることを求める前記アクセス要求を受信する前に、前記USBインターフェースによって受信された信号に従って前記記憶装置を認識することと、前記記憶装置内に記憶されたファイルのファイル記述情報と記憶アドレスとを取得することであって、前記記憶されたファイルの前記ファイル記述情報が、前記記憶されたファイルの前記記憶アドレスと1対1対応にある、取得することと、前記記憶装置内の前記指定ファイルにアクセスすることを求める前記アクセス要求を前記記憶されたファイルの前記ファイル記述情報に従って前記ユーザ機器が送信するように、前記ユーザ機器が前記モバイル・ルーティング・ホットスポット・デバイスにアクセスしたとき、ウェブユーザインターフェースを使用することによって、前記記憶されたファイルの前記ファイル記述情報を前記ユーザ機器に出力することと、
を行うようにさらに構成される、モバイル・ルーティング・ホットスポット・デバイス。
【請求項１０】
前記アプリケーションプロセッサチップが、前記記憶装置内に記憶された前記ファイルの前記ファイル記述情報を取得した後、前記記憶されたファイルの前記ファイル記述情報に含まれるファイルタイプに従って前記記憶されたファイルの前記ファイル記述情報を分類し、カテゴリーに従ってファイル情報テーブルを作成し、前記ウェブユーザインターフェースを使用することによって、前記ファイル情報テーブルを前記ユーザ機器に出力するようにさらに構成される、請求項9に記載のモバイル・ルーティング・ホットスポット・デバイス。
【請求項１１】
前記アプリケーションプロセッサチップが、前記指定ファイルに関する前記情報が前記指定ファイルの記憶アドレスを含むとき、前記USBインターフェースを使用することによって前記指定ファイルの前記記憶アドレスに従って前記記憶装置内の前記指定ファイルを獲得するように特に構成される、請求項9に記載のモバイル・ルーティング・ホットスポット・デバイス。
【請求項１２】
前記アプリケーションプロセッサチップが、前記指定ファイルに関する前記情報が前記指定ファイルのファイル識別情報を含むとき、前記ファイル記述情報が前記ファイル識別情報を含み、前記指定ファイルの前記ファイル記述情報に対応する前記指定ファイルの記憶アドレスを、前記記憶されたファイルの前記ファイル記述情報と前記記憶されたファイルの前記記憶アドレスとの間の1対1対応に従って検索し、前記USBインターフェースを使用することによって前記指定ファイルの前記記憶アドレスに従って前記記憶装置内の前記指定ファイルを獲得するように特に構成される、請求項9に記載のモバイル・ルーティング・ホットスポット・デバイス。
【発明の詳細な説明】
【技術分野】
【０００１】
本出願は、参照によりその全体が本明細書に組み込まれている、2013年12月31日に中国特許庁に出願した「METHOD SUPPORTING WIRELESS ACCESS TO STORAGE DEVICE, AND MOBILE ROUTING HOTSPOT DEVICE」という名称の中国特許出願第CN 201310752485.5号の優先権を主張する。
【０００２】
本発明は通信技術の分野に関し、詳しくは、記憶装置への無線アクセスをサポートする方法、およびモバイル・ルーティング・ホットスポット・デバイスに関する。
【背景技術】
【０００３】
スマートフォンおよびタブレット型コンピュータなどのインテリジェントモバイルデバイスが次第に人々の生活の必要不可欠な要素となっている。しかし、記憶装置技術の発展によって制約され、これらのデバイス用に装備されたフラッシュメモリの容量は、現時点ではまだ非常に制限されており、将来、比較的長期間にわたってそのままであり、また一般に、64GBよりも大きくない。さらに悪いことに、デバイスによっては外部記憶装置による拡張をサポートしないものがある。
【０００４】
そこで、WiFi(ワイヤレスフィディリティー)無線取り外し可能ハードディスクが時宜を得て登場する。無線取り外し可能ハードディスクを使用することによってWiFiホットスポットが作り出された後、すべてのモバイルデバイスは、WiFiを使用することによって無線取り外し可能ハードディスクの記憶空間を共有することができ、それによって、モバイルデバイスの記憶空間が極めて拡大する。しかし、現在のところ、WiFi無線取り外し可能ハードディスクは、市場では相対的に高く価格設定されており、さらに、過去長年において、通常のユーザは、すべて、すでに通常の取り外し可能ハードディスクまたはフラッシュドライブなどの記憶装置を所有していた可能性がある。したがって、通常の取り外し可能ハードディスクまたはUSBフラッシュドライブなどの記憶装置に無線通信の方式でどのようにアクセスするかが緊急に解決されるべき課題となっている。
【発明の概要】
【課題を解決するための手段】
【０００５】
本発明の実施形態は、無線通信の方式で通常の記憶装置へのアクセスを実装することができる、記憶装置への無線アクセスをサポートする方法、およびモバイル・ルーティング・ホットスポット・デバイスを提供する。
【０００６】
上述の技術的課題を解決するために、本発明の実施形態は、以下の技術的解決策を開示する。
【０００７】
第1の態様によれば、モバイル・ルーティング・ホットスポット・デバイスに適用される、記憶装置への無線アクセスをサポートする方法が提供され、モバイル・ルーティング・ホットスポット・デバイスは、ユニバーサルシリアルバスUSBインターフェースを使用することによって記憶装置に接続され、方法は、
無線通信の方式でユーザ機器によって送信され、記憶装置内の指定ファイルにアクセスすることを求めるアクセス要求を、モバイル・ルーティング・ホットスポット・デバイスによって受信するステップであって、アクセス要求が、指定ファイルに関する情報を搬送する、受信するステップと、
USBインターフェースを使用することによって、指定ファイルに関する情報に従って記憶装置内の指定ファイルをモバイル・ルーティング・ホットスポット・デバイスによって獲得するステップと、
無線通信の方式でアクセス要求に従って指定ファイルをモバイル・ルーティング・ホットスポット・デバイスによってユーザ機器に出力するステップとを含む。
【０００８】
第1の態様に関して、第1の可能な実装形態の方式において、無線通信の方式でユーザ機器によって送信され、記憶装置内の指定ファイルにアクセスすることを求めるアクセス要求を、モバイル・ルーティング・ホットスポット・デバイスによって受信するステップの前に、方法は、
USBインターフェースによって受信された信号を使用することによって、記憶装置をモバイル・ルーティング・ホットスポット・デバイスによって認識するステップと、
記憶装置内に記憶されたファイルのファイル記述情報と記憶アドレスとを、モバイル・ルーティング・ホットスポット・デバイスによって取得するステップであって、記憶されたファイルのファイル記述情報が、記憶されたファイルの記憶アドレスと1対1対応にある、取得するステップと、
記憶装置内の指定ファイルにアクセスすることを求めるアクセス要求を記憶されたファイルの記述情報に従ってユーザ機器が送信するように、ユーザ機器がモバイル・ルーティング・ホットスポット・デバイスにアクセスしたとき、ウェブユーザインターフェースを使用することによって、記憶されたファイルのファイル記述情報をモバイル・ルーティング・ホットスポット・デバイスによってユーザに対して表示するステップとをさらに含む。
【０００９】
第1の態様および/または第1の可能な実装形態の方式に関して、第2の可能な実装形態の方式において、記憶装置内に記憶されたファイルのファイル記述情報をモバイル・ルーティング・ホットスポット・デバイスによって取得するステップの後、方法は、
記憶されたファイルのファイル記述情報に含まれるファイルタイプに従って記憶されたファイルのファイル記述情報を分類するステップと、カテゴリーに従ってファイル情報テーブルを作成するステップとをさらに含み、
ウェブユーザインターフェースを使用することによって、記憶されたファイルのファイル記述情報をモバイル・ルーティング・ホットスポット・デバイスによってユーザに対して表示するステップが、
ウェブユーザインターフェースを使用することによって、ファイル情報テーブルをモバイル・ルーティング・ホットスポット・デバイスによってユーザに対して表示するステップを含む。
【００１０】
第1の態様および/または第1の可能な実装形態の方式および/または第2の可能な実装形態の方式に関して、第3の可能な実装形態の方式において、指定ファイルに関する情報が指定ファイルの記憶アドレスを含むとき、USBインターフェースを使用することによって指定ファイルに関する情報に従って記憶装置内の指定ファイルをモバイル・ルーティング・ホットスポット・デバイスによって獲得するステップは、
USBインターフェースを使用することによって指定ファイルの記憶アドレスに従って記憶装置内の指定ファイルをモバイル・ルーティング・ホットスポット・デバイスによって獲得するステップを含む。
【００１１】
第1の態様および/または第1の可能な実装形態の方式および/または第2の可能な実装形態の方式および/または第3の可能な実装形態の方式に関して、第4の可能な実装形態の方式において、指定ファイルに関する情報が指定ファイルのファイル識別情報を含むとき、ファイル記述情報がファイル識別情報を含み、USBインターフェースを使用することによって、指定ファイルに関する情報に従って記憶装置内の指定ファイルをモバイル・ルーティング・ホットスポット・デバイスによって獲得するステップは、
指定ファイルのファイル記述情報に対応する指定ファイルの記憶アドレスを、記憶されたファイルのファイル記述情報と記憶されたファイルの記憶アドレスとの間の1対1対応に従ってモバイル・ルーティング・ホットスポット・デバイスによって検索するステップと、
USBインターフェースを使用することによって、指定ファイルの記憶アドレスに従って記憶装置内の指定ファイルをモバイル・ルーティング・ホットスポット・デバイスによって獲得するステップとを含む。
【００１２】
第2の態様によれば、モバイル・ルーティング・ホットスポット・デバイス・チップが提供され、モバイル・ルーティング・ホットスポット・デバイス・チップは、受信制御ユニットと、第1の情報獲得ユニットと、第1の情報出力ユニットとを含み、
受信制御ユニットは、ユーザ機器によって送信され、記憶装置内の指定ファイルにアクセスすることを求めるアクセス要求を受信する無線受信機を制御するように構成され、アクセス要求が、指定ファイルに関する情報を搬送し、
第1の情報獲得ユニットは、モバイルルートデバイスチップを記憶装置に接続するUSBインターフェースを使用することによって指定ファイルに関する情報に従って記憶装置内の指定ファイルを獲得するように構成され、
第1の情報出力ユニットは、指定ファイルをユーザ機器に出力する無線送信機をアクセス要求に従って制御するように構成される。
【００１３】
第2の態様に関して、第1の可能な実装形態の方式において、モバイル・ルーティング・ホットスポット・デバイス・チップは、
受信制御ユニットがアクセス要求を受信する無線受信機を制御する前に、USBインターフェースによって受信された信号に従って記憶装置を認識するように構成された認識ユニットと、
記憶装置内に記憶されたファイルのファイル記述情報と記憶アドレスとを獲得するように構成された第2の情報獲得ユニットであって、記憶されたファイルのファイル記述情報が、記憶されたファイルの記憶アドレスと1対1対応にある、第2の情報獲得ユニットと、
記憶装置内の指定ファイルにアクセスすることを求めるアクセス要求を記憶されたファイルの記述情報に従ってユーザ機器が送信するように、ユーザ機器がモバイル・ルーティング・ホットスポット・デバイスにアクセスしたとき、ウェブユーザインターフェースを使用することによって、記憶されたファイルのファイル記述情報を出力するように構成された第2の情報出力ユニットとをさらに含む。
【００１４】
第2の態様および/または第1の可能な実装形態の方式に関して、第2の可能な実装形態の方式において、モバイル・ルーティング・ホットスポット・デバイス・チップは、
第2の情報獲得ユニットが記憶装置内に記憶されたファイルのファイル記述情報と記憶アドレスとを取得した後、記憶されたファイルのファイル記述情報に含まれるファイルタイプに従って、記憶されたファイルのファイル記述情報を分類し、カテゴリーに従ってファイル情報テーブルを作成するように構成された分類ユニットをさらに含み、
第2の情報出力ユニットは、ウェブユーザインターフェースを使用することによって、ファイル情報テーブルを出力するように特に構成される。
【００１５】
第2の態様および/または第1の可能な実装形態の方式および/または第2の可能な実装形態の方式に関して、第3の可能な実装形態の方式において、第1の情報獲得ユニットは、指定ファイルに関する情報が指定ファイルの記憶アドレスを含むとき、USBインターフェースを使用することによって指定ファイルの記憶アドレスに従って記憶装置内の指定ファイルを獲得するように特に構成される。
【００１６】
第2の態様および/または第1の可能な実装形態の方式および/または第2の可能な実装形態の方式および/または第3の可能な実装形態の方式に関して、第4の可能な実装形態の方式において、指定ファイルに関する情報が指定ファイルのファイル識別情報を含む場合、ファイル記述情報がファイル識別情報を含み、第1の情報獲得ユニットは、
指定ファイルのファイル記述情報に対応する指定ファイルの記憶アドレスを、記憶されたファイルのファイル記述情報と記憶されたファイルの記憶アドレスとの間の1対1対応に従って検索するように構成された検索サブユニットと、
USBインターフェースを使用することによって指定ファイルの記憶アドレスに従って記憶装置内の指定ファイルを獲得するように構成された獲得サブユニットとを含む。
【００１７】
第3の態様によれば、アプリケーションプロセッサチップと、アプリケーションプロセッサチップに別々に接続された無線送受信機およびUSBインターフェースと含む、モバイル・ルーティング・ホットスポット・デバイスが提供され、USBインターフェースが、外部記憶装置に接続するように構成され、
アプリケーションプロセッサチップは、ユーザ機器によって送信され、記憶装置内の指定ファイルにアクセスすることを求めるアクセス要求を、無線送受信機を使用することによって受信することであって、アクセス要求が、指定ファイルに関する情報を搬送する、受信することと、USBインターフェースを使用することによって指定ファイルに関する情報に従って記憶装置内の指定ファイルを獲得することと、無線送受信機を使用することによってアクセス要求に従って指定ファイルをユーザ機器に出力することとを行うように構成される。
【００１８】
第3の態様に関して、第1の可能な実装形態の方式において、アプリケーションプロセッサチップは、無線通信の方式でユーザ機器によって送信され、記憶装置内の指定ファイルにアクセスすることを求めるアクセス要求を受信する前に、USBインターフェースによって受信された信号に従って記憶装置を認識することと、記憶装置内に記憶されたファイルのファイル記述情報と記憶アドレスとを取得することであって、記憶されたファイルのファイル記述情報が、記憶されたファイルの記憶アドレスと1対1対応にある、取得することと、記憶装置内の指定ファイルにアクセスすることを求めるアクセス要求を記憶されたファイルの記述情報に従ってユーザ機器が送信するように、ユーザ機器がモバイル・ルーティング・ホットスポット・デバイスにアクセスしたとき、ウェブユーザインターフェースを使用することによって、記憶されたファイルのファイル記述情報をユーザ機器に出力することとを行うようにさらに構成される。
【００１９】
第3の態様および/または第1の可能な実装形態の方式に関して、第2の可能な実装形態の方式において、アプリケーションプロセッサチップは、記憶装置内に記憶されたファイルのファイル記述情報を取得した後、記憶されたファイルのファイル記述情報に含まれるファイルタイプに従って記憶されたファイルのファイル記述情報を分類し、カテゴリーに従ってファイル情報テーブルを作成し、ウェブユーザインターフェースを使用することによって、ファイル情報テーブルをユーザ機器に出力するようにさらに構成される。
【００２０】
第3の態様および/または第1の可能な実装形態の方式および/または第2の可能な実装形態の方式に関して、第3の可能な実装形態の方式において、アプリケーションプロセッサチップは、指定ファイルに関する情報が指定ファイルの記憶アドレスを含むとき、USBインターフェースを使用することによって指定ファイルの記憶アドレスに従って記憶装置内の指定ファイルを獲得するように特に構成される。
【００２１】
第3の態様および/または第1の可能な実装形態の方式および/または第2の可能な実装形態の方式および/または第3の可能な実装形態の方式に関して、第4の可能な実装形態の方式において、アプリケーションプロセッサチップは、指定ファイルに関する情報が指定ファイルのファイル識別情報を含むとき、ファイル記述情報がファイル識別情報を含み、指定ファイルのファイル記述情報に対応する指定ファイルの記憶アドレスを、記憶されたファイルのファイル記述情報と記憶されたファイルの記憶アドレスとの間の1対1対応に従って検索し、USBインターフェースを使用することによって指定ファイルの記憶アドレスに従って記憶装置内の指定ファイルを獲得するように特に構成される。
【００２２】
本発明の実施形態において、モバイル・ルーティング・ホットスポット・デバイスが、記憶装置内に記憶されたファイルを読み取り処理し、それによって、ユーザがモバイル・ルーティング・ホットスポット・デバイスにアクセスすることによって記憶装置への無線アクセスを実装することが可能になる。本発明は、モバイル・ルーティング・ホットスポット・デバイスと記憶装置を組み合わせて、通常の記憶装置をWiFiハードディスクデバイスに変換する。このようにして、ユーザは、専用デバイスを購入することなく便利に既存の記憶装置内のファイルに、WiFiを使用することによって、直接アクセスすることができる。さらに、モバイル・ルーティング・ホットスポット・デバイスは、一般に、専門の無線端末デバイスベンダーによって開発されるので、WiFiの性能はより良くなり、10を超えるモバイル端末がサポートされ得る。さらに、モバイル・ルーティング・ホットスポット・デバイス用に装備された電池の容量は非常に大きい。したがって、モバイル状況における適用例はより良くサポートされ得る。
【００２３】
本発明の実施形態における技術的解決策をより明確に説明するために、実施形態を説明するのに必要な添付の図面を以下に簡単に紹介する。明らかに、以下の説明における添付の図面は、単に本発明のいくつかの実施形態を示すだけであり、当業者はこれらの添付の図面から他の図面を創造的努力なしに依然として導き出すことができる。
【図面の簡単な説明】
【００２４】
【図１】本発明の実施形態による、記憶装置への無線アクセスをサポートする方法の流れ図である。
【図２】本発明の実施形態による、記憶装置への無線アクセスをサポートすることの概略図である。
【図３】本発明の実施形態による、記憶装置への無線アクセスをサポートする別の方法の流れ図である。
【図４】本発明の実施形態による、モバイル・ルーティング・ホットスポット・デバイスによって記憶装置内の指定したファイルを獲得するための方法の流れ図である。
【図５】本発明の実施形態による、モバイル・ルーティング・ホットスポット・デバイス・チップの概略的構成図である。
【図６】本発明の実施形態による、別のモバイル・ルーティング・ホットスポット・デバイス・チップの概略的構成図である。
【図７】本発明の実施形態による、別のモバイル・ルーティング・ホットスポット・デバイスの概略的構成図である。
【発明を実施するための形態】
【００２５】
本発明の実施形態における技術的解決策を当業者により良く理解してもらい、本発明の実施形態の目的、特徴、および利点をより明確にするために、本発明の実施形態における技術的解決策を添付の図面を参照して以下に詳細にさらに説明する。
【００２６】
図1を参照すると、図1は、本発明の実施形態による、記憶装置への無線アクセスをサポートする方法の流れ図である。
【００２７】
本発明のこの実施形態において、モバイル・ルーティング・ホットスポット・デバイスの構成を図2に示すことができ、モバイル・ルーティング・ホットスポット・デバイス20は、外部インターフェース21を有し、外部インターフェース21はUSB(Universal Serial Bus、ユニバーサルシリアルバス)インターフェースでよく、またはMicro USBインターフェースでよい。取り外し可能ハードディスクまたはフラッシュドライブなどの記憶装置22は、インターフェース21を使用することによってモバイル・ルーティング・ホットスポット・デバイス20に接続することができる。インターフェース21がMicro USBインターフェースである場合、記憶装置22は、Micro USB/USB線を使用することによってモバイル・ルーティング・ホットスポット・デバイス20に接続することができる。モバイル・ルーティング・ホットスポット・デバイスは、無線送受信機と、無線送受信機に接続されたアプリケーションプロセッサチップとをさらに含み、無線送受信機は、図に示すWiFi(ワイヤレスフィディリティー)チップ23でよく、アプリケーションプロセッサチップは、図に示すLTE/3G modem+APチップ24でよい。WiFiチップ23は、モバイル・ルーティング・ホットスポット・デバイス20と外部デバイス(ユーザ機器)25との間の無線通信を実装するように構成される。アプリケーションプロセッサチップは、外部デバイス25によって記憶装置22への無線アクセスを実装するように構成され、外部デバイス25はPCまたは携帯電話などでよい。
【００２８】
取り外し可能ハードディスクまたはUSBフラッシュドライブなどの記憶装置22がモバイル・ルーティング・ホットスポット・デバイス20に接続された後、外部デバイス25は、例えば、PCまたは携帯電話などのWiFi Client(無線クライアント)は、WiFiを使用することによって記憶装置22にアクセスすることができる。モバイル・ルーティング・ホットスポット・デバイス20が記憶装置への無線アクセスをサポートする方法は、以下を含むことができる。
【００２９】
ステップ101:モバイル・ルーティング・ホットスポット・デバイスが、無線通信の方式でユーザ機器によって送信され、記憶装置内の指定ファイルにアクセスすることを求めるアクセス要求を受信し、アクセス要求は、指定ファイルに関する情報を搬送する。
【００３０】
ユーザ機器は、記憶装置内の指定ファイルにアクセスすることを求めるアクセス要求をWIFIなどの無線通信の方式で送信し、アクセス要求は、指定ファイルに関する情報、例えば、指定ファイルの名称などのファイル識別情報、または指定ファイルの記憶アドレスを含むことができる。アクセス要求を受信した後、モバイル・ルーティング・ホットスポット・デバイスは、ステップ102を実行する。
【００３１】
ステップ102:モバイル・ルーティング・ホットスポット・デバイスは、USBインターフェースを使用することによって指定ファイルに関する情報に従って記憶装置内の指定ファイルを獲得する。
【００３２】
モバイル・ルーティング・ホットスポット・デバイスは、アクセス要求における指定ファイルに関する情報を獲得し、インターフェースを使用することによって指定ファイルに関する情報に従って記憶装置内の指定ファイルを読み取り、次いで、次のステップを実行する。
【００３３】
ステップ103:モバイル・ルーティング・ホットスポット・デバイスは、無線通信の方式で上述のアクセス要求に従って指定ファイルをユーザ機器に出力する。
【００３４】
本発明のこの実施形態において、モバイル・ルーティング・ホットスポット・デバイスは、記憶装置内に記憶されたファイルを読み取り処理し、それによって、ユーザはモバイル・ルーティング・ホットスポット・デバイスにアクセスすることによって記憶装置への無線アクセスを実装することが可能になる。本発明は、モバイル・ルーティング・ホットスポット・デバイスと記憶装置を組み合わせて、通常の記憶装置をWiFiハードディスクデバイスに変換する。このようにして、ユーザは、専用デバイスを購入することなく便利に既存の記憶装置内のファイルに、WiFiを使用することによって、直接アクセスすることができる。さらに、モバイル・ルーティング・ホットスポット・デバイスは、一般に、専門の無線端末デバイスベンダーによって開発されるので、WiFiの性能はより良くなり、10を超えるモバイル端末がサポートされ得る。さらに、モバイル・ルーティング・ホットスポット・デバイス用に装備された電池の容量は非常に大きい。したがって、モバイル状況における適用例はより良くサポートされ得る。
【００３５】
図3を参照すると、図3は、本発明の実施形態による、記憶装置への無線アクセスをサポートする別の方法の流れ図である。
【００３６】
モバイル・ルーティング・ホットスポット・デバイスの構成を図2に示すことができ、モバイル・ルーティング・ホットスポット・デバイスは、インターフェースを使用することによって記憶装置に接続される。モバイル・ルーティング・ホットスポット・デバイスがユーザ機器による記憶装置への無線アクセスをサポートする方法は、以下を含むことができる。
【００３７】
ステップ301:モバイル・ルーティング・ホットスポット・デバイスがUSBインターフェースによって受信された信号を使用することによって記憶装置を認識する。
【００３８】
モバイル・ルーティング・ホットスポット・デバイスは、まず、モバイル・ルーティング・ホットスポット・デバイスのインターフェースモードを、インターフェースを使用することによってモバイル・ルーティング・ホットスポット・デバイスと記憶装置との間で通信される信号に従って、ユニバーサルシリアルバスホスト(USB Host)モードに切り替え、USB hostモードの記憶装置を認識する。記憶装置がモバイル・ルーティング・ホットスポット・デバイスに挿入されたとき、モバイルホットスポットデバイスは、デバイスが記憶装置であるか否かを、USBインターフェースによって報告された記憶装置記述子により、決定する。
【００３９】
ステップ302:モバイル・ルーティング・ホットスポット・デバイスは、記憶装置内に記憶されたファイルのファイル記述情報と記憶アドレスとを取得し、記憶されたファイルのファイル記述情報が、記憶されたファイルの記憶アドレスと1対1対応にある。
【００４０】
方式1:モバイル・ルーティング・ホットスポット・デバイスは、記憶装置内の記憶されたファイルのファイル記述情報と記憶アドレスとを直接読み取り、ファイル記述情報と記憶アドレスとを局所的にモバイル・ルーティング・ホットスポット・デバイス内に記憶することができる。具体的には、ファイル記述情報と記憶アドレスとは、局所ファイルサーバ内に記憶することができる。記憶されたファイルのファイル記述情報は、記憶されたファイルの記憶アドレスと1対1対応にある。ファイル記述情報は、ファイル名、ファイルサイズ、ファイルタイプ、作成時刻、変更時刻、ファイル形式などを含むことができ、記憶アドレスはファイルされたストアのurlアドレスなどでよい。
【００４１】
方式2:記憶装置内の記憶されたファイルのファイル記述情報と記憶アドレスとを読み取った後、モバイル・ルーティング・ホットスポット・デバイスは、記憶されたファイルのファイル記述情報内に含まれる音楽およびビデオなどのファイルタイプに従って、記憶されたファイルのファイル記述情報を分類し、カテゴリーに従ってファイル情報テーブルを作成する。
【００４２】
ステップ303:ユーザ機器がモバイル・ルーティング・ホットスポット・デバイスにアクセスしたとき、モバイル・ルーティング・ホットスポット・デバイスは、Web UIを使用することによって記憶されたファイルのファイル記述情報をユーザに対して表示する。
【００４３】
携帯電話またはIpadなどのユーザ機器は、ブラウザを使用することによって、例えば、http://192.168.1.1を入力することによって、無線の方式でモバイル・ルーティング・ホットスポット・デバイスのファイルサーバにアクセスすることができる。ユーザ機器がモバイル・ルーティング・ホットスポット・デバイスにアクセスしたとき、モバイル・ルーティング・ホットスポット・デバイスは、ウェブユーザインターフェース(Web UI)を使用することによって、記憶されたファイルのファイル記述情報と記憶アドレスとをユーザに対して表示することができる。モバイル・ルーティング・ホットスポット・デバイスが先行するステップにおいてファイル記述情報を分類した場合、モバイル・ルーティング・ホットスポット・デバイスは、Web UIを使用することによって上述のファイル情報テーブルをユーザに対して表示することができる。
【００４４】
Web UIを使用することによって記憶装置内に記憶されたファイルのファイル記述情報を閲覧した後、ユーザは、ファイル記述情報に従って、記憶された指定ファイル、例えば、ユーザが興味をもつビデオファイルを選択し、次いで、指定ファイルにアクセスすることを求めるアクセス要求をタッピングなどの方式でモバイル・ルーティング・ホットスポット・デバイスに送信することができ、アクセス要求は、指定ファイルに関する関連した情報、例えば、ファイル名などの識別情報または指定ファイルの記憶アドレスを含むことができる。モバイルルーティングデバイスは、304〜306の以下のステップをさらに実行することができる。
【００４５】
ステップ304:モバイル・ルーティング・ホットスポット・デバイスは、無線通信の方式でユーザ機器によって送信され、記憶装置内の指定ファイルにアクセスすることを求めるアクセス要求を受信し、アクセス要求は、指定ファイルに関する情報を搬送する。
【００４６】
アクセス要求は指定ファイルに関する情報を含み、指定ファイルに関する情報は、指定ファイルの記憶アドレスでよく、または指定ファイルのファイル名などのファイル識別情報でよい。ファイル識別情報は、Web UIを使用することによってユーザによって閲覧される、記憶されたファイルのうちの少なくとも1つのファイル記述情報である。
【００４７】
ステップ305:モバイル・ルーティング・ホットスポット・デバイスは、USBインターフェースを使用することによって指定ファイルに関する情報に従って記憶装置内の指定ファイルを獲得する。
【００４８】
指定ファイルに関する情報が指定ファイルの記憶アドレスを含むとき、モバイル・ルーティング・ホットスポット・デバイスは、アクセス要求に含まれる指定ファイルの記憶アドレスに従って記憶装置内の指定ファイルを、USBインターフェースを使用することによって、直接獲得することができる。
【００４９】
図4に示すように、指定ファイルに関する情報が指定ファイルのファイル識別情報を含むとき、モバイル・ルーティング・ホットスポット・デバイスは、以下のステップをさらに実行することができる。
【００５０】
ステップ401:モバイル・ルーティング・ホットスポット・デバイスは、指定ファイルのファイル記述情報に対応する指定ファイルの記憶アドレスを、記憶されたファイルのファイル記述情報と記憶されたファイルの記憶アドレスとの間の1対1対応に従って検索する。
【００５１】
ステップ402:モバイル・ルーティング・ホットスポット・デバイスは、USBインターフェースを使用することによって指定ファイルの記憶アドレスに従って記憶装置内の指定ファイルを獲得する。
【００５２】
ステップ306:モバイル・ルーティング・ホットスポット・デバイスは、無線通信の方式でアクセス要求に従って指定ファイルをユーザ機器に出力する。
【００５３】
指定ファイルのデータを取得した後、モバイル・ルーティング・ホットスポット・デバイスは、無線通信の方式で指定ファイルをユーザ機器に出力することができる。具体的には、指定ファイルを再生するなどすることができる。
【００５４】
ユーザは指定ファイルを局所ユーザ機器にダウンロードすることもできる。ダウンロード要求を受信した後、モバイル・ルーティング・ホットスポット・デバイスは、記憶装置内の指定ファイルのデータをユーザ側の携帯電話またはIpadなどのユーザ機器に伝送する。
【００５５】
本発明のこの実施形態において、モバイル・ルーティング・ホットスポット・デバイスは、記憶装置を認識し、記憶装置内のファイル情報を読み取り処理し、それによって、ユーザはモバイル・ルーティング・ホットスポット・デバイスにアクセスすることによって記憶装置への無線アクセスを実装することが可能になる。本発明は、モバイル・ルーティング・ホットスポット・デバイスと記憶装置を組み合わせて、通常の記憶装置をWiFiハードディスクデバイスに変換する。このようにして、ユーザは、専用デバイスを購入することなく便利に既存の記憶装置内のファイルに、WiFiを使用することによって、直接アクセスすることができる。さらに、モバイル・ルーティング・ホットスポット・デバイスは、一般に、専門の無線端末デバイスベンダーによって開発されるので、WiFiの性能はより良くなり、10を超えるモバイル端末がサポートされ得る。さらに、モバイル・ルーティング・ホットスポット・デバイス用に装備された電池の容量は、非常に大きい。したがって、モバイル状況における適用例はより良くサポートされ得る。
【００５６】
特定の実施形態において、取り外し可能ハードディスクは、USBインターフェースを使用することによってモバイル・ルーティング・ホットスポット・デバイスに接続することができ、モバイル・ルーティング・ホットスポット・デバイスは、取り外し可能ハードディスク内の記憶されたファイルのファイル記述情報と記憶されたファイルのURLアドレスとを読み取り、ファイル記述情報はファイル名、ファイルタイプ、およびファイルサイズを含む。次いで、モバイル・ルーティング・ホットスポット・デバイスは、ファイルタイプに従ってすべての記憶されたファイルのファイル記述情報を分類し記憶し、以下の表に示すように、ファイルテーブル情報を作成する。
【００５７】
【表１】
0006358604.tif 000002
【００５８】
ユーザがIPアドレス、例えば、http://192.168.1.1をユーザ機器のブラウザに入力することによって、モバイル・ルーティング・ホットスポット・デバイスのWeb UIインターフェースにログインする。ユーザはインターフェースを使用することによってファイル情報テーブルを閲覧することができ、ユーザは各記憶されたファイルのURLアドレスを閲覧することもできる。ユーザは、ユーザがアクセスすることを意図する指定ファイル、例えば、ビデオAを、ファイル記述情報を使用することによって、決定する。ユーザはビデオAの上をタッピングすることによってアクセス要求をモバイル・ルーティング・ホットスポット・デバイスに送信し、アクセス要求は、直接ビデオAのurlアドレスを含むことができ、またはファイル名、ビデオAだけを含むことができる。モバイル・ルーティング・ホットスポット・デバイスがアクセス要求を受信した後、アクセス要求がビデオAのurlアドレスを含む場合、モバイル・ルーティング・ホットスポット・デバイスは、urlアドレスにより、取り外し可能ハードディスク内のビデオAを直接取得し、次いで、ビデオAをユーザ機器に出力する。アクセス要求がファイル名、ビデオAを含む場合、モバイル・ルーティング・ホットスポット・デバイスは、ビデオAに対応するurlアドレスを検索し、urlアドレスにより取り外し可能ハードディスク内のビデオAを取得し、次いで、ビデオAをユーザ機器に出力する。このようにして、ユーザ機器は、モバイル・ルーティング・ホットスポット・デバイスを使用することによって取り外し可能ハードディスクにアクセスすることができる。
【００５９】
本発明の実施形態をUSBインターフェースと加入者宅内機器(Customer Premise Equipment、CPE)および家庭用ルータなどのWiFi機能とを有するすべての無線デバイスに適用することができる。
【００６０】
上述は本発明の方法実施形態を説明し、以下は上述の方法を実装する装置を説明する。
【００６１】
図5を参照すると、図5は本発明の実施形態による、モバイル・ルーティング・ホットスポット・デバイス・チップの概略的構成図である。
【００６２】
モバイル・ルーティング・ホットスポット・デバイス・チップは、
ユーザ機器によって送信され、記憶装置内の指定ファイルにアクセスすることを求めるアクセス要求を受信する無線受信機を制御するように構成された受信制御ユニット501であって、アクセス要求が、指定ファイルに関する情報を搬送する、受信制御ユニット501と、
アクセス要求に含まれる指定ファイルに関する情報に従って記憶装置内の指定ファイルを、モバイルルートデバイスチップを記憶装置に接続するUSBインターフェースを使用することによって、獲得するように構成された第1の情報獲得ユニット502と、
指定ファイルをユーザ機器に出力する無線送信機を、アクセス要求に従って制御するように構成された第1の情報出力ユニット503とを含む。
【００６３】
上述のモバイル・ルーティング・ホットスポット・デバイス・チップを使用することによって、本発明のこの実施形態は、ユーザによる記憶装置への無線アクセスを実装する。本発明は、モバイル・ルーティング・ホットスポット・デバイスと記憶装置を組み合わせて、通常の記憶装置をWiFiハードディスクデバイスに変換する。このようにして、ユーザは、専用デバイスを購入することなく便利に既存の記憶装置内のファイルに、WiFiを使用することによって、直接アクセスすることができる。さらに、モバイル・ルーティング・ホットスポット・デバイスは、一般に、専門の無線端末デバイスベンダーによって開発されるので、WiFiの性能はより良くなり、10を超えるモバイル端末がサポートされ得る。さらに、モバイル・ルーティング・ホットスポット・デバイス用に装備された電池の容量は非常に大きい。したがって、モバイル状況における適用例はより良くサポートされ得る。
【００６４】
本発明の別の実施形態において、図6に示すように、モバイル・ルーティング・ホットスポット・デバイス・チップは、
受信制御ユニット501がアクセス要求を受信する無線受信機を制御する前に、モバイル・ルーティング・ホットスポット・デバイス・チップを記憶装置に接続するUSBインターフェースによって受信された信号に従って記憶装置を認識するように構成された認識ユニット601と、
記憶装置内に記憶されたファイルのファイル記述情報と記憶アドレスとを獲得するように構成された第2の情報獲得ユニット602であって、記憶されたファイルのファイル記述情報が、記憶されたファイルの記憶アドレスと1対1対応にある、第2の情報獲得ユニット602と、
記憶装置内の指定ファイルにアクセスすることを求めるアクセス要求を記憶されたファイルの記述情報に従ってユーザ機器が送信するように、ユーザ機器がモバイル・ルーティング・ホットスポット・デバイスにアクセスしたとき、ウェブユーザインターフェースを使用することによって、記憶されたファイルのファイル記述情報を出力するように構成された第2の情報出力ユニット603とをさらに含むことができる。
【００６５】
モバイル・ルーティング・ホットスポット・デバイス・チップは、第2の情報獲得ユニット602が記憶装置内に記憶されたファイルのファイル記述情報と記憶アドレスとを取得した後、記憶されたファイルのファイル記述情報に含まれるファイルタイプに従って、記憶されたファイルのファイル記述情報を分類し、カテゴリーに従ってファイル情報テーブルを作成するように構成された分類ユニット604をさらに含むことができ、
第2の情報出力ユニット603は、ウェブユーザインターフェースWeb UIを使用することによってファイル情報テーブルを出力するように特に構成される。
【００６６】
別の実施形態において、第1の情報獲得ユニット502は、指定ファイルに関する情報が指定ファイルの記憶アドレスを含むとき、USBインターフェースを使用することによって指定ファイルの記憶アドレスに従って記憶装置内の指定ファイルを獲得するように特に構成され、指定ファイルに関する情報が指定ファイルのファイル識別情報を含む場合、ファイル記述情報がファイル識別情報を含み、第1の情報獲得ユニット502は、
指定ファイルのファイル記述情報に対応する指定ファイルの記憶アドレスを、記憶されたファイルのファイル記述情報と記憶されたファイルの記憶アドレスとの間の1対1対応に従って検索するように構成された検索サブユニットと、
USBインターフェースを使用することによって指定ファイルの記憶アドレスに従って記憶装置内の指定ファイルを獲得するように構成された獲得サブユニットとを含むことができる。
【００６７】
上述の実施形態の各々において、認識ユニット601は、インターフェースを使用することによって接続される、インターフェースモードをユニバーサルシリアルバスホストUSB Hostモードに、モバイル・ルーティング・ホットスポット・デバイスと記憶装置との間で通信される信号に従って切り替え、USB hostモードの記憶装置を認識するように特に構成することができる。
【００６８】
本発明の別の実施形態において、図7に示すように、アプリケーションプロセッサチップ701と、アプリケーションプロセッサチップ701に別々に接続された無線送受信機702およびUSBインターフェース703とを含む、モバイル・ルーティング・ホットスポット・デバイスがさらに提供され、USBインターフェース703は、外部記憶装置に接続するように構成される。
【００６９】
アプリケーションプロセッサチップ701は、ユーザ機器によって送信され、記憶装置内の指定ファイルにアクセスすることを求めるアクセス要求を、無線送受信機702を使用することによって受信し、アクセス要求が、指定ファイルに関する情報を搬送し、USBインターフェース703を使用することによって指定ファイルに関する情報に従って記憶装置内の指定ファイルを獲得し、無線送受信機を使用することによってアクセス要求に従って指定ファイルをユーザ機器に出力するように構成される。
【００７０】
具体的には、無線送受信機702はWiFiチップでよい。USBインターフェース703は、Micro USBインターフェースでもよい。取り外し可能ハードディスクまたはフラッシュドライブなどの記憶装置は、USBインターフェース703を使用することによってモバイル・ルーティング・ホットスポット・デバイスに接続することができる。記憶装置の供給電流が500 mAから1000 mAの間にあるので、モバイル・ルーティング・ホットスポット・デバイスのUSBインターフェース703の最大供給電流は約1000mAに達することができる。さらに、記憶装置に接続するとき、USBインターフェース703はUSB Hostモードにあり、したがって、USBインターフェース703はOTG(On-The-Go)モードをサポートする必要がある。
【００７１】
別の実施形態において、アプリケーションプロセッサチップ701は、無線通信の方式でユーザ機器によって送信され、記憶装置内の指定ファイルにアクセスすることを求めるアクセス要求を受信する前に、USBインターフェース703によって受信された信号に従って記憶装置を認識し、記憶装置内に記憶されたファイルのファイル記述情報と記憶アドレスとを取得し、記憶されたファイルのファイル記述情報が、記憶されたファイルの記憶アドレスと1対1対応にあり、記憶装置内の指定ファイルにアクセスすることを求めるアクセス要求を記憶されたファイルの記述情報に従ってユーザ機器が送信するように、ユーザ機器がモバイル・ルーティング・ホットスポット・デバイスにアクセスしたとき、ウェブユーザインターフェースWeb UIを使用することによって、記憶されたファイルのファイル記述情報をユーザ機器に出力するようにさらに構成することができる。
【００７２】
アプリケーションプロセッサチップ701は、記憶装置内に記憶されたファイルのファイル記述情報を取得した後、記憶されたファイルのファイル記述情報に含まれるファイルタイプに従って、記憶されたファイルのファイル記述情報を分類し、カテゴリーに従ってファイル情報テーブルを作成し、ウェブユーザインターフェースを使用することによって、ファイル情報テーブルをユーザ機器に出力するようにさらに構成することができる。
【００７３】
別の実施形態において、アプリケーションプロセッサチップ701は、指定ファイルに関する情報が指定ファイルの記憶アドレスを含むとき、USBインターフェースを使用することによって指定ファイルの記憶アドレスに従って記憶装置内の指定ファイルを獲得し、指定ファイルに関する情報が指定ファイルのファイル識別情報を含むとき、ファイル記述情報はファイル識別情報を含み、指定ファイルのファイル記述情報に対応する指定ファイルの記憶アドレスを、記憶されたファイルのファイル記述情報と記憶されたファイルの記憶アドレスとの間の1対1対応に従って検索し、USBインターフェースを使用することによって指定ファイルの記憶アドレスに従って記憶装置内の指定ファイルを獲得するように特に構成することができる。
【００７４】
本明細書に開示する実施形態に関して説明した例示的なユニットおよびアルゴリズムステップは、電子ハードウェアまたはコンピュータソフトウェアと電子ハードウェアとの組合せによって実装できることを当業者はよく知り得る。機能がハードウェアによって実施されるかまたはソフトウェアによって実施されるかは、技術的解決策の特定の適用例および設計制約条件による。当業者は各特定の適用例の説明された機能を実装するのに異なる方法を使用することができるが、実装形態は本発明の範囲を超えるとみなしてはならない。
【００７５】
簡便で簡単な説明のために、上述のシステム、装置、およびユニットの詳細な作業プロセスについては、上述の方法実施形態における対応するプロセスを参照することができ、詳細は本明細書に再度説明しないことが当業者には明確に理解され得る。
【００７６】
本出願において提供された、いくつかの実施形態において、開示されたシステム、装置、および方法は、他の方式で実装できることを理解されたい。例えば、説明された装置実施形態は、単に例示的であるにすぎない。例えば、ユニットの分割は単に論理機能の分割にすぎず、実際の実装形態における他の分割があり得る。例えば、複数のユニットまたは構成要素を組み合わせてまたは統合して別のシステムにすることができ、あるいは特徴によっては無視することができ、または実施しない可能性がある。さらに、表示されたまたは説明された相互結合または直接結合または通信接続を何らかのインターフェースを使用することによって実装することができる。装置間またはユニット間の間接結合または通信接続を電気的、機械的、または他の形で実装することができる。
【００７７】
別々の部分として説明されたユニットは、物理的に別個であってもなくてもよく、ユニットとして表示された部分は、物理的ユニットであってもなくてもよく、1つの位置に配置することができ、または、複数のネットワークユニット上に分配することができる。ユニットの一部または全部は、実施形態の解決策の目的を達成する実際の必要性により選択することができる。
【００７８】
さらに、本発明の実施形態における機能ユニットは、統合して1つの処理ユニットにすることができ、またはユニットの各々は物理的に単独で存在することができ、または2つ以上のユニットが統合されて1つのユニットにされる。
【００７９】
機能がソフトウェア機能ユニットの形で実装され、独立した製品として販売または使用されるとき、機能はコンピュータ可読記憶媒体内に記憶させることができる。そのような理解に基づき、本発明の技術的解決策は、本質的に、または従来技術に寄与する部分、または技術的解決策の一部は、ソフトウェア製品の形で実装することができる。ソフトウェア製品は記憶媒体内に記憶され、コンピュータデバイス(パーソナルコンピュータ、サーバ、またはネットワークデバイスでよい)またはプロセッサに本発明の実施形態において説明された方法のステップの全部または一部を実施するように命令するいくつかの命令を含む。上述の記憶媒体は、USBフラッシュドライブ、取り外し可能ハードディスク、読み出し専用メモリ(ROM、Read-Only Memory)、ランダムアクセスメモリ(RAM、Random Access Memory)、磁気ディスク、または光ディスクなど、プログラムコードを記憶することができるいずれかの媒体を含む。
【００８０】
上述の説明は、単に本発明の具体的な実装形態の方式にすぎないが、本発明の保護範囲を限定することは意図されていない。本発明において開示された技術的範囲内で当業者が容易に考えつくいずれかの変形または代替は、本発明の保護範囲内に含まれるものとする。したがって、本発明の保護範囲は、特許請求の範囲の保護範囲に従うものとする。
【符号の説明】
【００８１】
20  モバイル・ルーティング・ホットスポット・デバイス
21  外部インターフェース
22  記憶装置
23  WiFi(ワイヤレスフィディリティー)チップ
24  LTE/3G modem+APチップ
25  外部デバイス(ユーザ機器)
501  受信制御ユニット
502  第1の情報獲得ユニット
503  第1の情報出力ユニット
601  認識ユニット
602  第2の情報獲得ユニット
603  第2の情報出力ユニット
604  分類ユニット
701  アプリケーションプロセッサチップ
702  無線送受信機
703  USBインターフェース
【図１】
0006358604.tif 000003
【図２】
0006358604.tif 000004
【図３】
0006358604.tif 000005
【図４】
0006358604.tif 000006
【図５】
0006358604.tif 000007
【図６】
0006358604.tif 000008
【図７】
0006358604.tif 000009